(57)【要約】【課題】本発明は、飲料の抽出原料を散乱させてしまうことなく誰でも容易に開口することができる飲料抽出用フィルタを提供する。【解決手段】前周面部８と、前周面部８に対向配置された後周面部９とを有し、上端側に開口部Ｐを形成した袋状のフィルタ本体２を備え、前周面部８の両側部１７及び後周面部９の両側部２９は、それぞれ前周面部８と後周面部９とに設定される折り目１５を境に開口部Ｐの内側に折り込まれる谷折り部１７を構成し、前周面部８の両側部の間には、開口部Ｐの形状を保持する前面保持部１８が設けられ、後周面部９の両側部２９の間には、前面保持部１８に対向配置され開口部Ｐの形状を保持する後面保持部３０が設けられ、谷折り部１７，２９の頂部同士が対向して接する位置まで谷折り部１７，２９が折り込まれ、谷折り部１７，２９が前面保持部１８及び後面保持部３０に密接して開口部Ｐを閉塞可能になっている。【選択図】図２
2017071419.tif 000002
【特許請求の範囲】
【請求項１】
前周面部と、この前周面部に対向配置された後周面部とを有し、上辺側に開口部を形成した袋状のフィルタ本体を備え、
前周面部の両側部及び前記後周面部の両側部は、それぞれ前記前周面部と前記後周面部とに設定される折り目を境に前記開口部の内側に折り込まれる谷折り部を構成し、
前記前周面部の両側部の間には、前記開口部の形状を保持する前面保持部が設けられ、
前記後周面部の両側部の間には、前記前面保持部に対向配置され前記開口部の形状を保持する後面保持部が設けられ、
前記谷折り部の頂部同士が対向して接する位置まで前記谷折り部が折り込まれ、前記谷折り部が前記前面保持部及び前記後面保持部に密接して前記開口部を閉塞可能になっている飲料抽出用フィルタ。
【請求項２】
前記谷折り部には、前記開口部の形状を保持する側面保持部が設けられている請求項１に記載の飲料抽出用フィルタ。
【請求項３】
前記前面保持部と前記前周面部の両側部に形成された前記側面保持部とは前記折り目を挟んで連続的に形成され、
前記後面保持部と前記後周面部の両側部に形成された前記側面保持部とは前記折り目を挟んで連続的に形成され、
前記前面保持部、前記後面保持部及び前記側面保持部は、前記開口部を開口させた際に前記開口部を連続的に取り囲む枠状に形成されている請求項２に記載の飲料抽出用フィルタ。
【請求項４】
前記谷折り部を折り込んで重ね合わせ開口部を閉塞させた前記前面保持部及び前記後面保持部を把持して留める留め手段を備えている請求項１から３のいずれか一項に記載の飲料抽出用フィルタ。
【請求項５】
前記前周面部の上端及び前記後周面部の上端は、前記前面保持部の上端及び前記後面保持部の上端の以下に位置している請求項１から４のいずれか一項に記載の飲料抽出用フィルタ。
【請求項６】
前記前面保持部及び前記後面保持部のそれぞれの下方に前記フィルタ本体を容器に設置させるホルダが設けられている請求項１から５のいずれか一項に記載の飲料抽出用フィルタ。
【請求項７】
請求項１から６のいずれか一項に記載の飲料抽出用フィルタの内部に飲料の抽出原料が収容され、前記開口部が封止されている飲料抽出バッグ。
【発明の詳細な説明】
【技術分野】
【０００１】
本発明は、飲料抽出用フィルタ及び飲料抽出バッグに関する。
【背景技術】
【０００２】
本願に類似の技術として、例えば下記特許文献に記載された飲料抽出用フィルタが開示されている。下記特許文献に記載された飲料抽出用フィルタは、合成樹脂の不織布からなるフィルタを素材にして袋状に形成しており、前後の２面部を有し、上方を開放している。前後の２面部の各上縁部は適宜の幅を内側に折り返して重ね合せ、これを接合して補強重合部を形成し、この補強重合部同士の間にフィルタ本体を開放する開口部を形成している。開口部は、手で剥離し開封することが可能にヒートシールすることにより閉塞している。
【先行技術文献】
【特許文献】
【０００３】
【特許文献１】特開２０１２−１７９２６５号公報
【発明の概要】
【発明が解決しようとする課題】
【０００４】
上記飲料抽出用フィルタは、手で剥離し開封可能にヒートシールをしているが、作業者はシールの強度が分からないため、シール強度を推し量りながら恐る恐る剥離しなければならず、開封作業が面倒であるという問題があった。また、開口部の全体でシール強度にばらつきが生じることがあるため、一定の力で剥離しようとしても、シール強度が強過ぎる部分で力を掛け過ぎて勢いよく剥離してしまい、フィルタ本体内の抽出原料を散乱させてしまうことがあった。
そこで本発明は、飲料の抽出原料を散乱させてしまうことなく誰でも容易に開口することができる飲料抽出用フィルタを提供する。
【課題を解決するための手段】
【０００５】
（１）本発明の飲料抽出用フィルタは、前周面部と、この前周面部に対向配置された後周面部とを有し、上辺側に開口部を形成した袋状のフィルタ本体を備え、前周面部の両側部及び前記後周面部の両側部は、それぞれ前記前周面部と前記後周面部とに設定される折り目を境に前記開口部の内側に折り込まれる谷折り部を構成し、前記前周面部の両側部の間には、前記開口部の形状を保持する前面保持部が設けられ、前記後周面部の両側部の間には、前記前面保持部に対向配置され前記開口部の形状を保持する後面保持部が設けられ、前記谷折り部の頂部同士が対向して接する位置まで前記谷折り部が折り込まれ、前記谷折り部が前記前面保持部及び前記後面保持部に密接して前記開口部を閉塞可能になっている。
本発明の飲料抽出用フィルタは、前記谷折り部の頂部同士が対向して接する位置まで谷折り部を折り込み、前記谷折り部を前記前面保持部及び前記後面保持部に密接させることで前記開口部を閉塞可能になっている。したがって、本発明の飲料抽出用フィルタは、ヒートシールによらずに谷折り部を折り込んだ前面保持部と後面保持部とを把持して留める手段により簡単に開口部を封止することができる。
【０００６】
（２）本発明の前記谷折り部には、前記開口部の形状を保持する側面保持部が設けられていてもよい。
この構成によれば、本発明は開口部の側面における形状を容易に形成することができる。
【０００７】
（３）本発明の前記前面保持部と前記前周面部の両側部に形成された前記側面保持部とは前記折り目を挟んで連続的に形成され、前記後面保持部と前記後周面部の両側部に形成された前記側面保持部とは前記折り目を挟んで連続的に形成され、前記前面保持部、前記後面保持部及び前記側面保持部は、前記開口部を開口させた際に前記開口部を連続的に取り囲む枠状に形成されていてもよい。
この構成によれば、本発明は開口部全体の形状を容易に形成することができる。
【０００８】
（４）本発明の前記谷折り部を折り込んで重ね合わせ開口部を閉塞させた前記前面保持部及び前記後面保持部を把持して留める手段を備えていてもよい。
この構成によれば、本発明は開口部を閉塞した状態で容易に保持することができる。
【０００９】
（５）本発明の前記前周面部の上端及び前記後周面部の上端は、前記前面保持部の上端及び前記後面保持部の上端の以下に位置していてもよい。
この構成によれば、本発明は上端部を確実に留めることができる。
【００１０】
（６）本発明の前記前面保持部及び前記後面保持部のそれぞれの下方に前記フィルタ本体を容器に設置させるホルダが設けられていてもよい。
この構成によれば、本発明はフィルタ本体を容易に容器等に設置することができる。
【００１１】
（７）本発明の飲料抽出バッグは、上記いずれかの飲料抽出用フィルタの内部に飲料の抽出原料が収容され、前記開口部が封止されている。
この構成によれば、本発明は上記いずれかの作用及び機能を有しかつコーヒーの抽出が容易となる。
【発明の効果】
【００１２】
本発明の飲料抽出用フィルタは、飲料の抽出原料を散乱させてしまうことなく誰でも容易に開口することができるという効果を奏する。
【図面の簡単な説明】
【００１３】
【図１】本発明の一実施形態である飲料抽出用フィルタを平板状に広げて示した正面図である。
【図２】本発明の一実施形態である飲料抽出用フィルタの容器に設置した状態を示した斜視図である。
【図３】本発明の一実施形態である飲料抽出用フィルタを半開きで開口して示した斜視図である。
【図４】本発明の一実施形態である飲料抽出用フィルタの開口部を閉塞させて示した平面斜視図である。
【図５】本発明の一実施形態である飲料抽出バッグの閉塞状態を示した正面図である。
【発明を実施するための形態】
【００１４】
以下、本発明の一実施形態の飲料抽出用フィルタ（以下、「抽出フィルタ」という）及び飲料抽出バッグについて、コーヒー豆が収容されたコーヒーの抽出フィルタ及び飲料抽出バッグを一例にして説明する。
【００１５】
図１に示すように、本実施形態の抽出フィルタ１は、第１の上辺５ａ側に開口部Ｐが形成された袋状のフィルタ本体２と、フィルタ本体２の表面に接着固定されたホルダ３と、開口部Ｐの形状を保持する開口保持部４とを備えている。
【００１６】
フィルタ本体２は、水平方向に延びる第１の上辺５ａと、第１の上辺５ａの両端から互いに離間するように下方に延びる第２の上辺５ｂ，５ｂと、第２の上辺５ｂ，５ｂの各下端５ｃ，５ｃから第１の上辺５ａの中心及び下端５ｃ，５ｃ間の中心を通る線上に形成された角部６に向かって延びる左右の下辺７ａ、７ｂに囲まれた２枚の基材を備えている。
【００１７】
この基材は、図２に示すように上方に向かって略正方形に拡開する四角錐形状の袋体を対向する一対の辺の中心を結ぶ線Ｌ１上で垂直（矢印）方向に切断し、図１に示すように展開した形状をなしている。２枚の基材はそれぞれ、フィルタ本体２の前周面部８と後周面部９とを構成している。
【００１８】
図１に示すように、前周面部８と後周面部９とは、飲料を濾過可能な不織布等のフィルタ基材で形成され、各辺を揃えて対向配置され、左右の下辺７ａ、７ｂの直近を溶着し、第１の上辺５ａ及び第２の上辺５ｂ，５ｂを解放した状態で貼り合わされている。
前周面部８には、第１の上辺５ａ及び第２の上辺５ｂ，５ｂに平行に延びる開口保持部４が設けられている。
【００１９】
開口保持部４は、帯状に形成された紙又は樹脂製の平板部材を前周面部８に接着して形成されている。開口保持部４は、第１の上辺５ａと第２の上辺５ｂ，５ｂとにより形成される角部１０ａ，１０ｂの近傍と角部６とを結ぶ線上に第１の折り目１５を有している。
【００２０】
第１の折り目１５と第１の折り目１５の延長線上にある仮想線Ｌ２，Ｌ３は、前周面部８を前面部１６と前面部１６の両側部で開口部Ｐの内側に折り込まれる谷折り部１７，１７に分けるとともに、開口保持部４を前面保持部１８と前面保持部１８の両側部に延びる側面保持部１９，１９とに分けている。
【００２１】
前面保持部１８は、第１の上辺５ａに沿って略平行に設けられており、下方にホルダ３を有している。開口保持部４は、前面保持部１８の上端を第１の上辺５ａ以上に位置させて設けられている。
側面保持部１９，１９は、第２の上辺５ｂ，５ｂに沿って略平行に設けられており、左右の下辺７ａ，７ｂの上端部近傍で第２の折り目２０が形成されている。
【００２２】
前面部１６には、ホルダ３が固定されている。ホルダ３は、図２に示す容器５０の側壁５１の上端に引っ掛けてフィルタ本体２を容器５０に保持する部材であり、概略矩形に形成されている。
具体的にホルダ３は、切込みにより図２に示す容器５０の側壁５１を外側から挟み込む輪郭部２４と、輪郭部２４の内側に形成され容器５０の側壁５１を内側から挟み込む係止片２５とを有している。
【００２３】
これらの各部には、図２に示す容器５０の形状に馴染んで係止を確実にするように適宜折り目や切込みが形成されていてもよい。
本実施形態では、ホルダ３は、前面保持部１８とその中央部において連結しており、開口保持部４を介してフィルタ本体２に固定されている。
【００２４】
後周面部９は、前周面部８と同じ構成で同形状に形成されている。すなわち、後周面部９は、図２に示すように、前面部１６に相当する後面部２８と、前面部１６の谷折り部１７，１７に相当する２９，２９と、前面保持部１８に相当する後面保持部３０と側面保持部３１，３１とを備えている。
【００２５】
以上のようにして形成された前周面部８と後周面部９とは、図１に示すように前周面部８と後周面部９の各辺を揃えかつ開口保持部４及びホルダ３がそれぞれ略一致するように
重ね合わせて、左右の下辺７ａ、７ｂに沿って溶着されている。更に、図２に示すように側面保持部１９，３１は、左右の下辺７ａ、７ｂの上端において第２の折り目２０の外側でこれに重なる前周面部８と後周面部９と一体的に接着されている。
そして、開口保持部４は、図２に示すように開口部Ｐを開口させた際に第１の上辺５ａと第２の上辺５ｂ，５ｂに沿ってほぼ平行に開口部Ｐを連続的に取り囲むように設けられている。
【００２６】
次に、抽出フィルタ１を用いて不図示の飲料の抽出原料を内部に収容した飲料抽出バッグＸの作成方法について説明する。
まず、図２に示すように、第１の折り目１５において開口保持部４を山折りにし、第２の折り目２０において開口保持部４を谷折りにして開口部Ｐを平面視略正方形に開口し豆をフィルタ本体２の内部に適量収容する。
【００２７】
不図示の豆をフィルタ本体２の下部に収集して、図３に示すように谷折り部１７，２９を開口部Ｐの内側に折り込み、図４に示すように前面保持部１８と後面保持部３０とで谷折り部１７，２９の上端に形成された側面保持部１９，３１を挟み込む。そうすると、側面保持部１９，３１の頂部Ｔ同士が対向して接し、左右の側面保持部１９，３１が前面保持部１８及び後面保持部３０の中央位置まで折り込まれ、前面保持部１８、後面保持部３０及び側面保持部１９，３１が密接して図３に示す開口部Ｐが略隙間なく閉塞される。
【００２８】
このようにして折り畳んだ開口保持部４を、図５に示すように前面保持部１８及び図４に示す後面保持部３０の中央部でこれらに跨って挟み込むようにシール部材５５を貼り付けて留めることにより、豆を収容した飲料抽出バッグＸが完成する。
【００２９】
この飲料抽出バッグＸは、図４に示すように開口保持部４を第１の折り目１５及び第２の折り目２０で折り畳んで開口部Ｐを豆がこぼれないように閉塞することができるので、シール部材５５又はその他の前面保持部１８及び後面保持部３０を把持して留める留め具（以下単に「留め具」という）を用いてこの閉塞状態を簡単に保持しておくことができる。
【００３０】
また、飲料抽出バッグＸを開口する際には、前面保持部１８と後面保持部３０とを重ねて把持した状態すなわち開口部Ｐを閉じた状態で図５に示すシール部材（留め手段）５５又はその他の留め具を取り外し、図３に示すように前面保持部１８及び後面保持部３０の把持を緩めれば自然と開口することができる。
【００３１】
すなわち、開口保持部４は、図４に示すように谷折り部１７，１７を開口部Ｐの内側に折り込み扁平に折り畳まれた状態で押さえられているが、押えが解除されれば、図３に示すように開口保持部４の復帰力により谷折り部１７，１７が外方に広がろうとし、矩形に開口しようとする。
【００３２】
したがって、飲料抽出バッグＸは、開口部Ｐをヒートシールしたときのように、シール強度を推し量りながらおそるおそる開口するという煩雑さを回避することができるという効果を奏する。また、飲料抽出バッグＸは、開口する力が強すぎて勢いよく開口させてしまい内部の豆を散乱させてしまうことを防止することができるという効果を奏する。
【００３３】
すなわち、本発明の飲料抽出バッグＸは、開口部Ｐを、前面保持部１８と後面保持部３０と側面保持部１９，３１により略隙間なく閉塞することができ、これらの折り畳み状態を保持するだけで簡便、確実かつコンパクトに豆を封入させておくことができるという効果を奏する。
また、飲料抽出バッグＸは、前面保持部１８と後面保持部３０とを把持して開口部Ｐを
閉じた状態で図５に示すシール部材５５等の留め具を取り外し、開口保持部４の復帰力で緩やかに開口させることができるため、豆を散乱させることなく誰でも極めて簡単に開口することができるという効果を奏する。
【００３４】
また、開口部Ｐをヒートシールした従来の飲料抽出バッグを開口する場合、シートを貼り合わせた端部に剥離力が掛かり難く、開口部Ｐをきれいに開け難いということがある。しかし、飲料用抽出フィルタ１及び飲料抽出バッグＸは、開口部Ｐを折り畳んで閉塞し、折り畳んだ状態をシール部材５５等の留め具で留めておくだけであるので、留め具を取れば開口部Ｐを完全に開口させることができる。
【００３５】
また、飲料用抽出フィルタ１及び飲料用抽出フィルタＸは、開口部Ｐをヒートシール，超音波シール，高周波によるシール等の手段により閉塞してもよいが、仮に開口部Ｐをヒートシールした場合であっても、開口部Ｐの周方向に略連続的な枠状に開口保持部４が配されているので、開口時に剥離力が全体に及び易く完全な開口が容易となるという効果を奏する。
また、飲料用抽出フィルタ１及び飲料用抽出フィルタＸは、開口保持部４を第２の折り目２０で谷折りにして谷折り部１７，１７を開口部Ｐの内側に折り込むようになっているため、開口時に谷折り部１７，１７が矩形に復帰しやすく開口がより容易となるという効果を奏する。
【００３６】
上記で説明した抽出フィルタ１及び飲料用抽出フィルタＸは、フィルタ本体２内にコーヒーの豆Ｘを充填した状態で保存される場合を例として説明した。しかし、本発明の抽出フィルタ１は、コーヒーを抽出するフィルタに限定されるものではなく、他の飲料の抽出にも適用することもできる。
また、本発明の飲料用抽出フィルタ１及び飲料用抽出フィルタＸは、四角錐形状のフィルタ本体２に限定されるものではなく、開口部Ｐが前面保持部１８、後面保持部３０及び側面保持部１９，３１により閉塞されるものである限り、どのような形状のフィルタ本体２を有するものにも適用することができる。
【００３７】
また、本発明の飲料用抽出フィルタ１及び飲料用抽出フィルタＸは、谷折り部１７，１７がその頂部Ｔを略密接させて前面保持部１８及び後面保持部３０により隙間なく挟み込まれていれば、側面保持部１９，３１は必須ではない。
また、本発明のホルダ３は、上記に例示した形状のものに限定されず容器５０の側壁５１に係止できるものであればどのようなものであっても適用することができる。
【００３８】
また、本発明は、ホルダ３を必須の構成とするものではない。すなわち、抽出フィルタを受けるドリッパーその他の器具を用いて容器５０等に設置することができれば、ホルダ３を有していずとも本発明の作用、機能及び効果を奏する。
また、本発明は、必ずしも飲料の抽出原料を収容して封止したものを対象とするものではなく、後で原料を入れて保持し得るものであってもよい。
【符号の説明】
【００３９】
１…抽出フィルタ（飲料抽出用フィルタ）
２…フィルタ本体
３…ホルダ
８…前周面部
９…後周面部
１５…第１の折り目
１７…谷折り部（両側部）
１８…前面保持部
１９…側面保持部
３０…後面保持部
３１…側面保持部
５５…シール部材（留め手段）
Ｐ…開口部
Ｔ…頂部
【図１】
2017071419.tif 000003
【図２】
2017071419.tif 000004
【図３】
2017071419.tif 000005
【図４】
2017071419.tif 000006
【図５】
2017071419.tif 000007